(57)【要約】      （修正有）【課題】循環気流型電気掃除機に於いて塵埃集收に供するヘッド部での塵埃集收の際に外気の吸気をせずに、当該電気掃除機内の空気を活用し、循環流路の要部であるヘッド部に強力な循環気流を流し塵埃の集收を行い、当該電気掃除機外には排気を放出しないモーターフアンの提供。【解決手段】モーターとフアンケースとの結合には熱的遮断のできる構造とし、当該モーターは連続定格の自然空冷のものを使用し、フアンに就いては吸気流、及び排気流が案内路に添い円滑に流れ易くなるよう、斜面、曲面、及び球面を活用し、当該案内路を形成し、気流の正面衝突のするような面をなくし、また渦流の生じないよう要部に於いては案内路を流れ方向に仕切るのと、それに相俟って、循環路を形成するので常に気流の流れる方向に、循環路中の何処の位置にも「引き」及び「押し」の力がフアンに依って発生しているので気流は案内路に馴染み円滑に流れる。【選択図】図１
2006289045.tif 000002
【特許請求の範囲】
【請求項１】
モーターフアンに於いて、フアンの構成は、一方の異形の内皿及び、他方の異形の外皿、更に吸気案内に供する案内壁群とから成り、当該内皿には中央部を吸気側に円形の緩かな、上り勾配の膨らみを付し、その中心に吸気口を穿ち、外周部には当該吸気側に所要の立上縁部を形成する。また内皿よりも所要にして大きな当該外皿の中心位置には、モーターの出力軸えの堅着用の穴を付し、更らに所要の複数の通気小穴を配し、且つ外周には所要の球曲面及び縁側部を形成し、当該内皿の立上縁部及び当該外皿の縁側部とを同方向に向け、各々の当該の内皿及び外皿の対向間に当該所要形状を有する所要数の案内壁を配し、当該案内壁に当該各々の内皿及び外皿を固着し、フアンを形成するのであり、また当該モーターは出力軸側正面を所要形の吸振材で覆い、所要形で成る、中間部材に当該モーターの出力軸先端部を所用長突出し、当該モーターの取付部にて当該モーターを設定し、当該出力軸先端部には、当該フアンを回動可能に堅着する、また当該フアンの收納部等を有する、直胴部及び小直胴部とから成るフアンケースを当該フアンを当該收納部に收容し、当該フアンを回動可能に且つ当該モーターとは、当該中間部材を境に非通気状に当該フアンケースの取付部を、当該中間部材に堅着し、当該モーターと当該フアン（フアンケース内の全装置とフアンケース含）とが一体的に形成され、当該モーターからの当該フアンへの駆動に基ずく吸引えの吸気の供給には、当該フアンの吸気口と対向状でその場が一端の給出口と同体他端の吸気に供する吸引口とを有する、給気案内路を、当該吸引口の所用域を残し全体を当該フアンケースに包容状に配し、更に当該直胴部内には当該フアンからの排気えの加速部及び集收部を設け、集收の当該排気の放出には、当該集收部から放出口に至る当該小直胴部及び案内部で構成する排気案内路を介して行うのであるが、その際に当該排気を当該モーターに吹き掛けないことを特徴とし、且つ放出口より放出せる当該排気を、当該放出口及び当該吸引口とを外部にて結ぶ、所要の循環路を介し、当該吸引口に戻入状の当該排気を給気として、吸引のできる循環気流の生成に最適にして成る、モーターフアン
【発明の詳細な説明】
【発明の詳細な説明】
【技術分野】
【０００１】この発明は循環気流型電気掃除機に於いて塵埃集收に供するヘッド部での塵埃集收の際に外気の吸気をせずに、当該電気掃除機内の空気を活用し、循環流路の要部であるヘッド部に強力な循環気流を流し塵埃の集收を行い、当該電気掃除機外には排気を放出しない、循環気流の自己生成に供するモーターフアンに関するものである。
【背景技術】
【０００２】現在排気循環機能を有する、電気掃除機を、販売している会社は２社あり、カタログでの記述では、Ｓ社に於いては『後ろからの排気を出さない「ジェットターン方式」ハウスダストの舞い上げを抑えます。※両側の車輪部から、モーター冷却のために一部排気が出ています。排気エネルギーを約９０％カットし、ハウスダストの舞い上げを抑えます。』またＴ社に於いては『気になる排気を抑える「排気カット強と清」（クリーナーの本体の中で排気を循環。排気風速を約８０％※５カツト！（当社比））※５排気風速約８０％カツト。当社排風カット未採用機種ＶＣ−Ｊ９Ｄとの排風速比較。排気風速の測定方法：排気出口から５０ｍｍ離れた所で最大風速（強モード時）：ＶＣ−Ｐ８１Ｒ  ２．５ｍ／秒、ＶＣ−Ｊ９Ｄ  １３ｍ／秒』とあり、２社共に、モーターフアンのモーターの冷却のために、フアンからの排風をモーターに吹き掛けるために、その排風の温度を上げないための新しい吸気の入替分であり、排気を皆無にすることは、従来のモーターフアンの活用に於いては不可能である。
【発明が解決しようとする課題】
【０００３】フアンに就き記述すれば、フアンは風を生むものなのだから、冷えこそすれ、熱くはならないと云うことが、フアンに対する、固定観念であり、これに携わる、技術者の常識でもあったので、モーターで駆動を受ける、フアンは加熱の無い、強い気流を発生するので、その発生した気流を活用し、モーター、冷やすことにすれば、モーターの温度上昇を抑えることができ無理な負荷を掛けても耐えることができる、との考へで経済的設計で製作されたのが、現モーターである。従ってモーターに就いては裕のある設計の連続定格のモーターとし、フアンに就いては、発明者は発熱体であると云う認識であり、その原因はフアンでの循環気流の生成には回転数が１分間に１万回〜３万回と高いこと。フアン内での空気同志の摩擦、衝突、更らには側壁等との摩擦等が考へられ、そのエネルギーが熱への変換となり、気流及び関連装置の温度上昇に繋がるのである。
【課題を解決するための手段】
【０００４】
【０００５】上述せるように、モーターは発熱体であり、フアンも発熱体であるため、フアンの排風を、モーターに吹き掛けることはせず、モーターは連続定格で自然冷却で済むものにし、フアンに就いては、生成する気流の流れを円滑にし熱の発生を極力低く抑える構造とするのである。
【発明を実施するための最良の形態】
【０００６】本発明のモーターフアンは循環気流型電気掃除機の係りのある装置内の空気を活用し、塵埃の集收を司るヘッドに掃除用の強力な自己生成の循環気流を提供するための装置であり、以下これに就き記述する。【０００７】図１はモーターフアン１の断面を含む側面図であり、モーター２は、自然空冷の連続定格のコンミュテーターモーターで公知のモーターであり、モーターに関する記述は省くことにする。【０００８】図１に示めすフアン装置３はフアン４、直胴部３Ａ、球曲面部３Ｔ、及び小直胴部３Ｆから成る、フアンケース３’で形成され、フアンケース３’内には排気えの加速部２４及び集收部２６、更らに吸気案内路２０を收容するのである。【０００９】フアン４は図２及び図３に示めす形状であり、これはフアンケース３’の直胴部３Ａ内での円滑な排気の流れを確保するための工夫であり、即ち吸気口５Ａから、吸入した吸気を排気口７Ｅ〜１５Ｅから噴出の際は所定の方向に噴出するのである。【００１０】フアン４は図３の側断面図に示めすように内側は異形の皿の内皿５を配し、当該内皿５の中央部から円形に中心に向かい緩かな上り勾配の膨を付し、その後中心部には所用径の吸気口５Ａを穿ち、また周辺には所用の曲面にて所用の高さの立上げ縁部５Ｂを当該膨み方向に形成する。【００１１】またフアン４の外側は異形の皿の外皿６から成り、中心にはモーター２の出力軸先端部２Ｇに堅着用の穴６Ａを穿ち、その近くに所用の小径の通気口６Ｂを複数個付し、更らに周辺には所用の球曲面及び縁側を有する周面６Ｃを形成する。【００１２】図２に示めす一部破断正面図に於いて、内皿５及び外皿６を所用の間隔で配し、その間隔間に、回転方向を示めす矢印１６方向に、ほぼ倣う方向に、インボリュート曲線を有し所要形で成る、案内壁７〜１５を図示のように、吸気口５Ａ側に、一方端を置き、他方端を周面６Ｃ側に置く、当該案内壁７〜１５を介し且つこれに当該内皿５及び外皿６とを堅着し、フアン４を形成するのである。【００１３】フアン装置３に就き記述する。図１の断面図に示めすように、熱伝導率の低い、ベークライト等からの合成樹脂で成る、中間部材３Ｂに、フアンケース３’の取付鍔３Ｃの、打出しタップ部３Ｄ群にボルト３Ｅ群を中間部材に３Ｂ側から通し締付け堅着する。【００１４】図４に示めす断面図で直胴部３Ａ内に收設する加速部２４及び集收部２６とは要部を共有する一体的構成である。【００１５】加速部２４は所要の直径から成る中空の円錐１７を基本形とし、その変形を活用するのであり、所要の円錐面域１７Ａを形成し、その域外を緩かな球曲面１８を形成更に連らなる面域を内側に曲込み所用のパイプ状の支持部１９を形成する。【００１６】図５は加速部２４の上から見た平面図、図６は正面図であり、案内壁２１Ａ〜２１Ｍが円錐域１７Ａの斜曲面に設定の状態を示めすものであり、図５に示す案内壁２１Ａ〜２１Ｍの角度の設定はフアン４から排気の噴射角度との係りがあるので後述する。【００１７】図６に示す一部破断図で示めすように所要形の案内壁２１Ａ，２１Ｍ，（図の表示分だけだが案内壁全部）の端部２２Ａ、及び２２Ｍは円錐１７の直径周辺よりも、約３ｍｍ高いのであり、この高さは案内壁２１Ａ〜案内壁２１Ｍが同じなので、直胴部３Ａの内径と、円錐１７の外径との差を案内壁端部２２Ａ〜２２Ｍで仕切るスリツト状の窓２３Ａが全周に形成するのであり、フアン４側の受入窓は広く緩かに先細りする加速部側のスリット窓は狭く楔形の案内路の形成により、進行方向に流れ易く、逆方向には阻止力が作用するのである。【００１８】図７は集收部２６の正面図であり、加速部２４の眞後に位置し、円錐１７の内側にはインボリュート曲線を有する所要形の集收案内壁２７Ａ〜２７Ｒを図示のように設定するのである。集收部２６での集收案内壁２７Ａ〜２７Ｒの各々の壁間は狭いが当該集收案内壁２７Ａ〜２７Ｒの高さで示めす幅（又は深さでも可）が広いので、各々の案内壁間で形成する案内路の通気抵抗は低いのである。なほ排気の集收部２６としての機能は、図面上の集收案内壁２７Ａ〜２７Ｒ群が直胴部３Ａに連らなる、球曲面部３Ｔにより、手前から覆うことにより、発揮できるのである。【００１９】こゝで集收案内のために集收部２６の動作を記述する。なほ加速部２４までの排気の流れは後述するのである。図７に示めす正面図にて加速部２４のスリット状の窓、２３Ａ〜２３Ｍ（全周を窓２３Ａを配置に相当）から加速されて集收部２６の広い案内路に噴出され（外部の循環路を介してフアン４からの吸引による負圧も作用中）外壁に相当する直胴部３に連らなる球曲部３Ｔ、更らに広い大きな案内路であっても、多数の集收案内壁により分割され、しかも外部の循環路を介してフアン４からの吸引力の作用により、上述の加速されて集收部２６えの噴出された、排気は渦も生ずることなく、集收案内壁間で構成する案内路に矢印２８Ａ〜２８Ｒ方向えと円滑に流れ、中央に集收した排気流はドット印２９Ａ〜２９Ｒで示めすように紙面上から手前側に向う、即ち集收部２６から案内路を形成する、小直胴部３Ｆ側に流入するのである。【００２０】図８は集收部２６の側断面図である。【００２１】フアン装置３に係る外部装置を二重鎖線で示めし、その相互効果を記述する。なほフアン装置３には排気の案内路を形成する、小直胴部３Ｆに小ダクト３Ｈ及び放出口３Ｌを付す小ダクト３Ｋを連係するのである。外部案内路としては、放出口３Ｌに連係する、フレキシブルホースから成る案内路３Ｍこれに連係するヘツド装置３Ｎ更らにこれに連係するフレキシブルホースから成る案内路３Ｐこれに連係する紙パック室３Ｓ内の、紙パックフイルター３Ｒ及び紙パック室３Ｓを介し吸引口２０Ａに連係し、フアン装置３内である、吸引口２０Ａから入り、放出口３Ｌから放出され上述の外部案内路を介し、吸引口２０Ａに戻る、気流が、給気として、吸引、吸気、及び排気と、其の都度名称が変わるが何処を流れても総称して循環気流の意味も含め記号はＦ１とする。以上で機構的な記述は示したが【００２２】これからは、本モーターフアン１の実験の記録を踏まえ記述を行うものである。図１２は本発明のフアン装置３の実験時の装置を示めし、要部の記述をすれば装置２７は架台Ａ２８上に図示のようにフアンケース３’を固着し、熱的な影響を受けないよう、フアン駆動軸２９を長くして、モーターＭを離し、モーター出力軸とフアン駆動軸２９とはカップリング２８で連結する。図にはないが、モーターＭの速度の設定は、電源側に電圧調整器を置きモーターＭえの供給電圧を調節して行うのである。【００２３】フアンケース３’の小直胴部３Ｆの排気路の排出口３Ｌは外部案内路３３を形成するフレキシブルホースの一方端部に挿入し、フレキシブルホースの他方端部には、紙パツク室３１の吸入口３２を挿入する、更らに紙パツク室３１には吸気案内路の吸引口２０Ａが挿入され、気流３７は、吸引口２０Ａに入りフアン４、加速部２４、集收部２６、小直胴部３Ｆ排出口３Ｌ、外部案内路３３、吸入口３２、及び紙パック３８のフィルターを通過し吸引口２０Ａに循環してかえるのである。なほ紙パック室３１は蓋を閉じ密封するのである。温度の測定位置は直胴部３Ａの表面で位置３４、排出口３Ｌの接近位置にフレキシブルホースに穴を穿ち温度計を挿入流れの中心位置３５更らに吸気案内路に穴を穿ち温度計を挿入流れの中心位置３６の３箇所である。【００２４】電気掃除機に於いて装置内を満たす空気の活用により、ヘッドを含む循環路を形成し、本発明のモーターフアンにより当該電気掃除機自身で強力な循環気流を生成しヘツドに於いて外気の吸入のない状能でヘツド内を循環気流を流し掃除面からの塵埃の剥離及び除去を行うものであり、集塵部のフィルター通過の循環気流を活用するのであり当モーターフアンの活用のもとで外気からわ吸気せず、外気えは、排気せずこれを実行するのが、本発明のモーターフアンであり、フアンに於いても自然冷却で使用ができるがより性能の高揚のため回転速度の増加でフアンケースの温度上昇が高くなるときは、フアンケースを二重構造等にして水冷式の可能性は不可能ではない。当実験は図１２に示めすように装置内を満たす空気は、紙パック室３１、フアンケース３’、及び外部案内路３３のフレキシブルホース内であり、体積にして約６，５００ｃｍ３である【００２５】図１３はフアン装置３の温度上昇（表示温度−外気温度）試験の線グラフである。線グラフの下方には、フアン４の１分間当たりの回転数と循環気流量の１分間当りの流量ｍ３／ｍとあるが、この流量はフアン４の回転によりフアン４を通過した量の累積であり、上述において実体積は６，５００ｃｍ３であっても、フアン４の吸引力、及び排気による加圧力の引及び押しの作用により、実体積を循環案内路を所用の回数循環させることにより、所要の累積量を達成できるのである。【００２６】次に累積量に対する、装置内の実体積（貯留体積と云う）と大気との比較図１２で示めす循環の経路は００２３で記述したが、この経路に於いての貯留体積の所用時間内の累積量と外部案内路３３のフレキシブルホースを点線位置４０で切開き各々の切口を４１及び４２位置に置き干渉しないよう、フアン４を作動し点線で示めす吸気、及び排気を行ない後部から排気を出す排気クリーナーと同様にしても、フアン４を通過する累積量は、所要同一時間内では同量なのであり、貯留体積に比較し、無限的な大気の量であっても累積量は増さないのである、それは、フアン４の回転数に対する、循環案内路の流路抵抗に依って決定付けられ、電気回路に例えれば回路の電気抵抗に相当するものと考へられるのである。【００２７】図１３の線グラフに依り温度上昇を見るに通電後６０分でフアンケース３’の位置３４では３２℃、排出口では４５℃、また吸引口では２９℃であり、飽和状態である。グラフの見方は、排出口の放出中の中心の流れの温度  上昇が４５℃で循環案内路を通過し、２９℃まで冷やされて測定位置３６を通過するのである。【００２８】通電から６０分間はフアン４の回転数は、１４，２００ｒｐｍ、循環気流量は０．９５ｍ３／ｍであったが次に、フアン４の回転数を１７，８００ｒｐｍ、それにつれて循環気流量は１．２ｍ３／ｍとなり設定を変えて３０分後グラフに示すとおり、ファンケース３’の位置３４の温度上昇３９℃、排出口の位置では（３５の位置）５２．５℃また吸引口の位置３６では３５．５℃の各々の温度上昇であり【００２９】更らに設定を変え，ファン４を回転数を２１，３００ｒｐｍ，に循環気流量を１．５ｍ３／ｍとし６０分間の運転では各々の温度上昇はフアンケース３’の位置３４で４７℃，排出口３Ｌ位置３５で５８℃また吸引口２０Ａの位置３６では３９℃であり、此の実験に依り、発明者の云うフアン（フアン装置３）は発熱体であることを証明したのであり、更らに発生熱の生じ難い機構を工夫に依り実施し、実用に供する発明である。【００３０】これより本発明のモーターフアンの要部に就き記述する。図９に示めす正面図は機能を記述するために、内皿５を外したフアン４であるが、図中、二重鎖線で示めす円形は、内皿５の立上げ縁部５Ｂの位置である。このフアン４に図１３のフアン４の回転数２１，３００ｒｐｍ及び循環気流の累積量１．５ｍ３／ｍに対応するのである。【００３１】フアン４の１秒間の回転数は２１，３００／６０＝３５５ｒｐｓまた１秒当の循環流量は１，５００，０００ｃｍ３／６０＝２５，０００ｃｍ３でフアン１回転当たりの流量は２５，０００ｃｍ３／３５５＝７０．４２ｃｍ３であり、フアン４は案内壁７〜１５で９分路あるので１分路の流路は即ち１案内路分は７０．４２ｃｍ３／９＝７．８２４ｃｍ３となり１案内路の平均断面積が１ｃｍ２なので通過速度は７．８２４ｃｍ３／１ｃｍ２＝７．８２４ｃｍ／１回転，であり１秒分にすれば３５５回転なので７．８２４ｃｍ×３５５＝２，７７７．５２ｃｍ／ｓであり１秒間に２７．７７ｍの速度で矢印７Ａ〜１５Ａに示すように流れドット印７Ｄ〜１５Ｄに示すように、紙面上から手前側に向かい排気口７Ｅ〜１５Ｅから噴出するのであるが、高速度での回転中の排気口の移動を考慮し、排出口７Ｅ〜１５Ｅからの噴出を検討する。【００３２】フアン４の排気口７Ｅ〜１５Ｅの平均中心直径は９．５ｃｍであり、当該中心直径点の周辺の１秒間の速度は９．５ｃｍ×π×３５５＝１０，５８９．６５ｃｍとなり１０５．８９ｍ／ｓの速度となり、これは、ベクトル的に表わせるので図１１に示すベクトル図となる。これは先ず矢印３９はフアン４の排気口７Ｅ〜１５Ｅが１０５．８９ｍ／ｓでの速度で矢印方向に移動の状況を示めし矢印４Ｄは矢印３９の面から９０°の開きで、排気口７Ｅ〜１５Ｅから速度２７．７７ｍ／ｓで噴出する状況を示すものであり、矢印３９及び矢印４０とのベクトル和である矢印４１が合成速度であり、角度ｘが噴出角度となるのである。2006289045.tif 000003
となりｘ＝１０５．８９／１０９．４７＝０．９６７２三角関数真数表からｃｏｓｘ＝０．９６７２６の１４°４２’となりフアン４の排気口７Ｅ〜１５Ｅの回転する平面（仮想）から噴出する合成流は１４°４２’の角度で常に噴出するのであり、当該噴出流を受流するのが、加速部２４である。図９に示めすように矢印１６方向の高速回動により案内壁７〜１５の吸気口５Ａ側先端により杓り込み吸気口５Ａからクロス印７Ｃ〜１５Ｃ方向の手前側から紙面に向けての強い矢印７Ａ〜１５Ａを作るのである。【００３３】上述でのフアン４の排気口７Ｅ〜１５Ｅからの合成流は一部を示し記述するが、図５，及び図６に示めすように図５では二重鎖線で示めすフアン４は図示の位置に在り矢印１６方向に回動され、合成流の噴出し流れの方向は矢印の２４Ａ及び２４Ｂであり、これは図１１の合成流４１の向と平行であり、二重鎖線で示めす矢印１６方向の回動平面に１４°４２’の開き角度をもって排気が噴出するのであり、これを円滑に案内するには、案内壁２１Ａ〜２１Ｍのフアン４側に向く面側表面を、噴出角度（噴射角度でも可）に平行に設定するのである。これにより００１６での記述した案内壁の角度の設定は決したのである。【００３４】図１０は放熱円板，放熱板，及び放熱装置を装着前の斜外観図である。【００３５】モーター２は図１に示めすが通常の連続定格のコンミュテーターモーターで公知であり、記述は省略するが、中間部材３Ｂと、これに設定の構成は記述する、中間部材３Ｂには所要径のざくり２Ｎ及び穴２Ｐを付し、更にタップ穴２Ｒを所用数、且つ外周近くには、所用数の穴３Ｂ’を付して成る。正面を形成する中心部に承持部２Ｄを形成し、ボールベアリング２Ｅを承持する．軸受部材２Ａの外周端縁面とモーターケース２Ｂの取付鍔外周端縁面とを図示のように合致、固着し、当該軸受部材２Ａ，及び当該モーターケース２Ｂの取付鍔２Ｃを覆う、ゴム材で成形の吸振材３Ｆ’を当該ざぐり２Ｎに嵌込み、押えリング２Ｈに付す通し穴及び吸振材３Ｆ、更に取付鍔２Ｃ及び軸受部材２Ａに付す貫通穴にボルト２Ｋを通しタツプ穴２Ｒに締付け、モーター２を中間部材３Ｂに設定するのである。このときに所用長突出した、モーター２の出力軸先端部２Ｇには、フアン４の外皿６に付す堅着穴６Ａに座金を両側に配し係結状に置き、ナット２Ｓを締付け、出力軸先端部２Ｇとフアン４とは堅着が成されるのである。【００３６】フアン４の外皿６に付す通気口６Ｂは図１に示めすように、フアン４の外皿６の背面と中間部材３Ｂとの空間に滞る、空気が在ると装置内部の温度上昇に繋るので、この空気を加速部２４側に、引込ませる、気流Ｆ２を生むための補給用の通気口である。【００３７】本発明のモーターフアン１も冷却に就いては重要な課題であり、特に外気からの吸気、また外気えの排気を必要としない装置であり、冷却に就いては自然冷却で塵埃を吹き散らしたり、舞い上げたりして塵埃の拡散を生むような強風の強制冷却は不適当であり、強制冷却にしても風の出ない水冷式（フアンケースを二重構造にし、水を入れ循環させる）等を活用することは可能であるが、こゝでは図１に示めす放熱に依る自然冷却を行うのであり、モーター２には、モーターケース２Ｂを接して覆う、所用形の円筒２Ｌの外面に接する係合部２Ｔを付す放熱円板２Ｍ群を配する、円筒２Ｌを当該モーターケース２Ｂに装着し、連続定格ではあるが、更に放熱を活発にし温度上昇を抑えることに効果的である。また直胴部３Ａには、直接に、係合部３Ｖを形成する放熱円板３Ｗ群を図示のように装着し、また小直胴部３Ｆを密着状の所用形の中継部材３Ｕの表面に係合部３Ｘを有する放熱板３Ｙ群を有する放熱装置３Ｚを当該小直胴部３Ｆ上に装着し、放熱を活発にし、フアン装置３の温度上昇を抑えるのである。放熱用材は軽金属の活用である。【００３８】図１２に示めすフアン装置３の実験に於いて大気圧と循環案内路とのことに就き、或る現象を見ることができたのである。当該現象を記述する、此の現象は、フアン装置３は完全な循環案内路で、大気との通流のないことが必要である。当該実験装置２７の外部案内路３３を形成するのは、ワイヤー入りのフレキシブルホースであり、ワイヤーは０．９φのバネ材であり、ホース外径はワイヤー部が４６ｍｍ、螺旋ピッチ８ｍｍ、０．２５ｍｍ厚のシート両面張り、及び谷外径が４２ｍｍで曲げに対しては柔軟なホースである。図１２に示めす状態にて、気流３７を流すことに依り、循環案内路内の気圧が低下し大気圧の圧力よりも低くなるので、差圧の影響を受け、当該フレキシブルホースは差圧力で外面を押され、谷部が僅か細くなり、ピッチも僅か縮み全長も短かく動くのが目視で分かるのである、がこの大気圧の影響を無くすべく、且つ循環路を有するフアンの、吸気＝排気の鉄則に立って、当該ホースに平衡穴３９を穿ったのである。循環路に穴を１つ穿っても、その穴からは吸気も吸わなければ排気も排かず、例えば１つの穴から吸気しても、排くところが無ければ吸へず、また排気しても、吸うところがなければ排けないのであり、従って１つの穴では気流量には無関係で気流量には変化なく、大気圧だけが、平衡穴３９を介し気流３７に影響することなく、循環路内部の圧力は外部の圧力と同気圧となり、循環案内路には、差圧が無くなり大気圧と同圧になるので穴３９を平衡穴と称するのである。なほ記述中のホースとはフレキシブルホースを指すのである。
【発明の効果】
【００３９】以上のように本発明のモーターフアンの活用によって電気掃除機に於いて、当該モーターフアン及びヘッドを含む所要の循環路を形成し、当該循環路に自己生成の気流を循環気流として流し、当該電気掃除機の操作時には、大気に対し吸気及び排気のない、循環気流型電気掃除機、完成の源である。
【図面の簡単な説明】
【図１】本発明の一部断面を含む側面図。
【図２】同  フアン４の一部破断を含む正面図。
【図３】同      同  側断面図
【図４】同  フアン装置３及び関連装置の断面図（側面）
【図５】同  加速部２４の平面図
【図６】同      同      正面図
【図７】同  集收部２６の正面図
【図８】同      同      側断面図
【図９】同  フアン４の動作説明正面図
【図１０】同  放熱装置を装着なしの斜外観図
【図１１】同    ベクトル図
【図１２】同  実験装置平面図（発明の装置の実験に係る）
【図１３】同  フアン装置３の温度上昇線グラフ図
【符号の説明】
１  モーターフアン    ２  モーター    ３  フアン装置    ３’  フアンケース３Ａ  直胴部    ３Ｆ  小直胴部    ３Ｔ  球曲面部    ４  フアン５  内皿    ６  外皿    ７〜１５  案内壁    １７  円錐１７Ａ  円錐面域    １８  球曲面    ２１Ａ〜２１Ｍ  案内壁２４  加速部    ２６  集收部    ２７Ａ〜２７Ｒ  集收案内壁Ｆ１  循環気流    Ｆ２  気流
【図１】
2006289045.tif 000004
【図２】
2006289045.tif 000005
【図３】
2006289045.tif 000006
【図４】
2006289045.tif 000007
【図５】
2006289045.tif 000008
【図６】
2006289045.tif 000009
【図７】
2006289045.tif 000010
【図８】
2006289045.tif 000011
【図９】
2006289045.tif 000012
【図１０】
2006289045.tif 000013
【図１１】
2006289045.tif 000014
【図１２】
2006289045.tif 000015
【図１３】
2006289045.tif 000016